(57)【特許請求の範囲】
【請求項１】
内部に円筒状に巻かれたシートが収納される箱本体が、底板と、この底板から折り曲げられた互いに平行な前側板および背板と、底板から折り曲げられて箱の端部を覆う端板とから成り、前記背板から連設されて前記箱本体の開口部を覆う蓋板と、前記開口部から引き出されたシートを切断して分配する切断手段と、が設けられたシート分配ケースにおいて、前記前側板の端部には第１の接合片が、背板の端部には第２の接合片が折り曲げられ、前記両接合片が、前記端板に対して箱本体の内側に合わせられて両接合片と端板とが固着されており、前記両接合片には、前記端板に固着されている部分の一部を切り離すことができる間欠的な切断線が形成されていることを特徴とするシート分配ケース。
【請求項２】
前記第１の接合片に形成された切断線の下端は、底板と前側板との角部またはその近傍に向かって延びている請求項１記載のシート分配ケース。
【請求項３】
前記第２の接合片に形成された切断線の下端は、底板と背板との角部またはその近傍に向かって延びている請求項１記載のシート分配ケース。
【請求項４】
前記第１の接合片の上縁には窪み部が設けられ、切断線の上端は前記窪み部に向かって延びている請求項１または２記載のシート分配ケース。
【請求項５】
前記第２の接合片の上縁には窪み部が設けられ、切断線の上端は前記窪み部に向かって延びている請求項１または３記載のシート分配ケース。
【発明の詳細な説明】
【０００１】
【発明の属する技術分野】
本発明は食品包装などに用いられる合成樹脂製のラップフィルム、アルミホイル、台所用紙シートなどの各種シートを、所望長さに切断して使用するシート分配ケースに係り、特に使用後にケースを容易に潰す、または折り畳むことができるシート分配ケースに関する。
【０００２】
【従来の技術】
ラップフィルムなどが収納されるシート分配ケースでは、円筒状に巻かれたラップフィルムなどが収納される箱本体と、この箱本体の背板に連設され、ヒンジ部を介して回動して前記箱本体の開口部を開閉することができる蓋板とを有している。
このシート分配ケースでは、前記蓋板をやや上に向けて箱本体の開口部を開くことにより箱本体内のラップフィルムなどを引き出すことができる。前記蓋板の前縁に連設されている掩蓋片の縁部、または箱本体の前側板の下縁部には鋸歯を有する切断部材が設けられており、箱本体内から所定長だけ引き出されたラップフィルムなどが前記切断部材により切断されて分配される。
【０００３】
【発明が解決しようとする課題】
前記シート分配ケースは、通常紙製であり、内部のラップフィルムなどの使用が完了したときに廃棄焼却される。しかし、シート分配ケースは箱型で所定の容積を有しているため、そのまま廃棄するとごみ箱などの内部が嵩張る。
そこで空となったシート分配ケースを潰してまたは折り畳んで廃棄することが好ましいが、シート分配ケースを手の力で簡単に潰すのは困難である。すなわち、シート分配ケースは、箱本体からラップフィルムなどを引き出して切断部材によって切断するときに、手による保持力や切断部材に作用する切断反力により箱形状が変形しないように強固に組立てられている。したがって、空となった箱を潰すのには過大な力が必要になり、また箱本体の端板などの接着部分を剥がすのにも大きな力が必要になる。そのため、箱を展開して折り畳むのも困難である。
【０００４】
本発明は上記従来の課題を解決するものであり、使用時にはシート切断に耐えうる強度を保ち、且つ廃棄時には容易に展開して折り畳んだりまたは潰すことができるシート分配ケースを提供することを目的としている。
【０００５】
【課題を解決するための手段】
本発明は、内部に円筒状に巻かれたシートが収納される箱本体が、底板と、この底板から折り曲げられた互いに平行な前側板および背板と、底板から折り曲げられて箱の端部を覆う端板とから成り、前記背板から連設されて前記箱本体の開口部を覆う蓋板と、前記開口部から引き出されたシートを切断して分配する切断手段と、が設けられたシート分配ケースにおいて、前記前側板の端部には第１の接合片が、背板の端部には第２の接合片が折り曲げられ、前記両接合片が、前記端板に対して箱本体の内側に合わせられて両接合片と端板とが固着されており、前記両接合片には、前記端板に固着されている部分の一部を切り離すことができる間欠的な切断線が形成されていることを特徴とするものである。
【０００６】
上記構造のシート分配ケースでは、箱本体の内部のシートの使用を完了したときに、端板を外側へ引き倒すと、切断線の部分で両接合片が分離され、端板を前側板および背板とから分離することによりケースを分解して展開することができる。よってそのまま折り畳むなどして嵩張ることなく廃棄できる。
【０００７】
前記切断線は、端板の内側に重ねられて接合された接合片に形成されているため、切断線が端板に覆われることになって、使用時には切断線が外部に現れない。よって、シート分配ケースの外観を損ねることがない。
【０００８】
また、接合片での切断線が形成されている部分は、端板と固着されている部分であり、切断線の両側で接合片が端板に固着されているため、切断線が形成されていることにより端板の接合強度の低下が生じない。よって、箱本体から引き出されたシートを切断部材により切断する際に、手で箱を強く保持したり、または切断部材に切断反力が作用するなどして箱本体に大きな力が作用しても、箱本体が変形しにくい。
【０００９】
上記において、前記第１の接合片に形成された切断線の下端は、底板と前側板との角部またはその近傍に向かって延びている、または、前記第２の接合片に形成された切断線の下端は、底板と背板との角部またはその近傍に向かって延びていることが好ましい。あるいは第１の接合片と第２の接合片の双方において、切断線の下端がそれぞれの角部またはその近傍に向かって延びていることが好ましい。
【００１０】
このように、端板に固着されている接合片に形成された切断線が、前側板や背板の下端の角部またはその近傍に向かって延びていると、この切断線により接合片が切断されたときに、切断が角部またはその近傍まで及びやすくなって前記角部またはその近傍に接合片の一部が残らなくなり、底板、前側板、背板および端板を平面状態に展開させやすくなる。
【００１１】
さらには、前記第１の接合片の上縁には窪み部が設けられ、切断線の上端は前記窪み部に向かって延びている、または、前記第２の接合片の上縁には窪み部が設けられ、切断線の上端は前記窪み部に向かって延びていることが好ましい。あるいは第１と第２の接合片の双方において、切断線の上端が窪み部に向かって延びていることが好ましい。
【００１２】
このように構成すると、端板を側方へ引き剥がすときに、切断線の上端から接合片に切れ込みが入りやすくなり、接合片が切断線の部分で破れて分離しやすくなる。
【００１３】
切断線の部分で接合片に破れを入れやすくするためには、前記窪み部がＶ字形状で、その谷部から切断線が延びていることが好ましい。
【００１４】
【発明の実施の形態】
以下本発明を図面によって説明する。
図１は本発明のシート分配ケースの端部の部分斜視図、図２は端板を引き倒した状態を示す部分斜視図、図３はシート分配ケースの部分展開図、図４はシート分配ケースの全体斜視図である。
図１に示すシート分配ケースは一例としてコアに巻かれたラップフィルムＷが収納されるものである。ラップフィルムＷは例えば塩化ビニリデン系、塩化ビニール系、ポリエチレン系、ポリプロピレン系、あるいはナイロン系などの合成樹脂フィルムである。
【００１５】
このシート分配ケースは厚紙材料により形成されている。シート分配ケースの箱本体１０は、底板１１、前側板１２、背板１３ならびに、底板１１と前側板１２と背板１３の両端部をつなぐ２枚の端板１４，１４とから成り、これらの各板部により５面が覆われ且つ上方の１面が開口部１５となる立方体形状である。
箱本体１０の背板１３の上縁部には連続して蓋板１７が延びている。蓋板１７の先端部には掩蓋片１８が連続して且つほぼ直角に折曲げられて形成されている。前記背板１３と蓋板１７との境界部は、素材である厚紙に折り癖を付けたヒンジ部１６となっている。前記蓋板１７の両側端には側蓋片１９，１９がほぼ直角に折曲げられている。
【００１６】
掩蓋片１８の前縁１８ａはＶ字形状であり、この前縁１８ａに鋸歯を有する切断部材２０が取付けられている。
このシート分配ケースでは、例えば箱本体１０を左手で保持し、蓋板１７を開き、開口部１５からラップフィルムＷを引き出す。ラップフィルムＷを所望の長さだけ引き出したときに、蓋板１７を閉じ、前側板１２と掩蓋片１８との間でラップフィルムＷを挟持し、ケースの外部に引き出されたラップフィルムＷを、切断部材２０により切断する。
【００１７】
図１の斜視図および図２の展開図に示すように、前側板１２の端部には第１の接合片１２ａが一体に延びて形成されている。組立時には、第１の接合片１２ａが折り曲げ線（ｉ）の部分から箱本体１０の内方へ向けて直角に折り曲げられる。この第１の接合片１２ａの上縁の先部にはほぼ平行四辺形の窪み部１２ｂが形成されている。第１の接合片１２ａには、間欠的な切断線２１が形成されている。この切断線２１の下端は、底板１１と前側板１２との角部１２ｃまたは角部１２ｃの近傍に向かって延びており、切断線２１の上端は、前記窪み部１２ｂの凹部内の底辺１２ｄまたは凹部内の角部に向かって延びている。
【００１８】
背板１３の端部には第２の接合片１３ａが一体に延びて形成されている。組立時には、第２の接合片１３ａが折り曲げ線（ｉｉ）の部分から箱本体１０の内方へ向けて直角に折り曲げられる。この第２の接合片１３ａの上縁の先部にはＶ字状の窪み部１３ｂが形成されている。第２の接合片１３ａには、間欠的な切断線２２が形成されている。この切断線２２の下端は、底板１１と背板１３との角部１３ｃまたは角部１３ｃの近傍に向かって延びており、切断線２２の上端は、前記窪み部１３ｂの底部の角１３ｄに向かって延びている。
【００１９】
また、第２の接合片１３ａの上縁には、Ｖ字状の窪み部１３ｅが形成され、さらに窪み部１３ｅの底部の角から接合片１３ａの内部に向かって１本または数本の切断線１３ｆが形成されている。図１に示すように、箱本体１０が組立てられたときには、前記窪み部１３ｅおよび切断線１３ｆが、第１の接合片１２ａに形成された窪み部１２ｂおよび切断線２１とほぼ重なる。
【００２０】
箱本体１０が組立てられるときには、底板１１から、前側板１２と背板１３とが互いに平行な状態で立上がるように折り曲げられる。また第１の接合片１２ａが折り曲げ線（ｉ）から、第２の接合片１２ｂが折り曲げ線（ｉｉ）から内側に折り曲げられ、底板１１から折り曲げられた端板１４の内側に各接合片１２ａと１３ａが重ねられる。すなわち、箱本体１０の端部では、外側から端板１４、第１の接合片１２ａ、第２の接合片１３ａの順に重ねられ、端板１４と第１の接合片１２ａとが接着剤で固着され、端板１４と第２の接合片１３ａとが接着剤で固着される。
【００２１】
なお、接着剤は、切断線２１および切断線２２を挟んで塗布され、切断線２１の両側の領域において第１の接合片１２ａが端板１４に固着され、切断線２２の両側の領域において第２の接合片１３ａが端板１４に固着されている。したがって、切断線２１と２２を設けることにより、箱本体１０の端部での組立て部分の強度が低下することがない。
なお、図３に示すように、前側板１２には補強片１２ｅが一体に延びており、図１に示すように、補強片１２ｅが前側板１２の上縁にて折り畳まれ、内側に重ねられて接着され、前側板１２が補強されている。
【００２２】
また、掩蓋片１８の端部には接合片１８ｂが一体に延びており、この接合片１８ｂが折り曲げられて、蓋板１７から曲げられた側蓋片１９と接合片１８ｂとが接着されて固定されている。
箱本体１０の内部のラップフィルムＷを消費してケース内が空になったときには、図２に示すように、端板１４を外側に引き倒す。この力で、第１の接合片１２ａの基部（ａ）から端板１４の接着が剥がれるとともに、第１の接合片１２ａの先部（ｂ）が切断線２１の部分から切断され、端板１４に固着されたままの状態で端板１４とともに倒される。
【００２３】
同様に、第２の接合片１３ａの基部（ｃ）から端板１４の接着が剥がされるとともに、第２の接合片１３ａの中央部（ｄ）が切断線２２で切断され、中央部（ｄ）が第２の接合片１３ａに固着されたまま端板１４とともに倒される。
切断線２１の上端と切断線２２の上端は、それぞれ接合片１２ａと１２ｂの窪み部１２ｄおよび１３ｄに向かって延びているため、端板１４を引き倒すときの力が各切断線２１と２２に作用しやすくなり、切断線２１と２２の部分で接合片１２ａと１２ｂが切断されやすくなる。
【００２４】
また、切断線２１の下端は底板１１と前側板１２との角部１２ｃまたはその近傍に向かって延び、切断線２２の下端が、底板１１と背板１３との角部１３ｃまたはその近傍に向かって延びているため、図２に示すように、端板１４を倒した状態では、底板１１付近で、端板１４と前側板１２との間、および端板１４と背板１３との間に渡って延びる接合片が残りにくくなる。したがって、端板１４を底板１１とを同一面となるように倒すことができ、また、前側板１２と背板１３とを底板１１と同一面となるように倒すことができるようになる。よってシート分配ケースを平面形状に展開しやすくなり、さらに折り畳みを容易に行うことができるようになる。
【００２５】
また、図２では、第２の接合片１３ａの先部（ｅ）が端板１４に追従して倒れている状態を示している。ただし、第２の接合片１３ａの先部（ｅ）が第１の接合片１２ａの内側に強固に接着されている場合には、端板１４を外側に倒すときに、第１の接合片１２ａが切断線２１の部分で切断される際に、第２の接合片１３ａも、窪み部１３ｅおよび切断線１３ｆの部分で中央部（ｄ）と先部（ｅ）とが破れ、先部（ｅ）が第１の接合片１２ａの基部（ａ）に接着されたまま、中央部（ｄ）のみが端板１４に追従するようになる。
このように、接合片１３ａに他方の接合片１２ａの切断線と重なる部分に、窪み部１３ｅまたは段差および／または切断線１３ｆを設けておくと、端板１４を剥がすときに、接合片１２ａと接合片１３ａとが容易に破れるようになる。
【００２６】
【発明の効果】
以上のように、本発明では、端板を引き倒しやすくなり、使用後のシート分配ケースを平面に展開して折り畳むことができるようになる。また接合片に形成された切断線が外部に現れないため、外観を損なうことがない。
【００２７】
また、切断線の両側部分で、端板と接合片とを固着することにより、箱本体の接合強度を弱めることがない。
【００２８】
さらに切断線の下端を角部またはその近傍まで延ばすことにより、角部に接合片が残りにくくなり、箱本体を平面に展開しやすくなる。
【図面の簡単な説明】
【図１】本発明のシート分配ケースの端部を示す部分斜視図、
【図２】端板を引き倒した状態を示す部分斜視図、
【図３】シート分配ケースの一部分の展開図、
【図４】シート分配ケースの全体を示す斜視図、
【符号の説明】
１０  箱本体
１１  底板
１２  前側板
１２ａ  第１の接合片
１２ｂ  窪み部
１３  背板
１３ａ  第２の接合片
１３ｄ，１３ｅ  窪み部
１４  端板
１５  開口部
１７  蓋板
１８  掩蓋片
２１，２２  切断線
【図１】
0003827435.tif 000002
【図２】
0003827435.tif 000003
【図３】
0003827435.tif 000004
【図４】
0003827435.tif 000005